(57)【特許請求の範囲】
【請求項１】
指紋を表す指紋データを取得される指に接触される第１の面と、
前記第１の面より後に前記指に接触される第２の面と、
前記第１の面から前記第２の面へ前記指が移動する経路上に前記指紋データを取得する指紋データ取得部と
を有する指紋データ取得装置であって、
前記第１の面は、前記指が前記第２の面に向けて移動するときに、前記指を前記指紋データ取得装置の設置面から遠のく方向にガイドするための一端部から他端部へ向かう第１の傾斜を有し、
前記第２の面は、前記設置面に対し、水平である、または、前記第１の傾斜よりも緩やかな第２の傾斜を有し、
更に、
前記ユーザの指を前記第１の面から前記第２の面に誘導するための発光部
を有し、
前記発光部は、前記経路上にあり、前記第１の面の前記一端部の近傍に配置されることを特徴とする指紋データ取得装置。
【請求項２】
前記第２の面の後に前記指に接触される第３の面
を更に有し、
前記第３の面は、前記指が第２の面から移動するときに、前記指を前記指紋データ取得装置の前記第１の設置面に接しない第２の設置面に近づく方向にガイドするための第３の傾斜を有することを特徴とする請求項１記載の指紋データ取得装置。
【請求項３】
前記第３の面が導電体で構成され、電気的に接地されていることを特徴とする請求項２記載の指紋データ取得装置。
【請求項４】
前記第１の面が導電体で構成され、電気的に接地されていることを特徴とする請求項１ないし３記載の指紋データ取得装置。
【請求項５】
筐体と、
一端部から他端部まで第１角度で上昇するように前記筐体に設けられた第１電極と、
一端部から他端部まで第２角度で下降するように前記筐体に設けられた第２電極と、
前記第１電極の他端部と前記第２電極の一端部との間に設けられたセンサを備え、前記センサにユーザの指がスライドしたときに、前記ユーザの指紋を読み取る指紋センサ部と、
前記筐体に設けられたホルダー部と、
前記筐体内に設けられた発光素子と
を具備し、
前記ホルダー部は、光透過性素材により構成され、
前記第１電極が設けられた板金取り付け部分と、
前記センサが設けられたセンサ取り付け部分と、
前記ユーザの指を前記第１電極から前記センサに誘導するための指誘導部分と
を含み、
前記発光素子は、前記筐体に露出された前記指誘導部分が発光するように、前記ホルダー部に光を照射する
指紋読取装置。
【請求項６】
請求項５に記載の指紋読取装置において、
更に、
一端部から他端部まで第３角度で下降するように前記筐体に設けられた第３電極
を具備し、
前記ユーザの指が前記第３電極と前記第１電極とに接触するように、前記指誘導部分は、前記筐体の前記第３電極と前記第１電極との間に設けられている
指紋読取装置。
【請求項７】
請求項５に記載の指紋読取装置において、
前記第１電極と前記第２電極との一方は接地されている
指紋読取装置。
【請求項８】
請求項６に記載の指紋読取装置において、
前記第１電極と、前記第３電極及び前記第２電極との一方は接地されている
指紋読取装置。
【請求項９】
請求項５に記載の指紋読取装置において、
更に、
前記筐体内に設けられる基板と、
前記筐体内に設けられ、前記基板よりも小さい基板固定用板金と
を具備し、
前記基板には、前記指紋センサ部の前記センサ以外の指紋センサ部本体と、前記発光素子との少なくとも１つが設けられ、
前記筐体は、第１筐体と第２筐体を含み、前記第１筐体と前記第２筐体とを重ね合わせたときにパッケージを形成し、
前記基板の角近傍の領域は接地領域を表し、
前記基板の角近傍の領域の一部と前記基板固定用板金の中央部分には、ネジを通すための貫通した穴が設けられ、
前記第１筐体及び前記第２筐体の角近傍には、前記ネジにより前記第１筐体と前記第２筐体とを結合し且つ前記筐体内で前記基板と前記基板固定用板金とを接触させて前記筐体に固定するための穴が設けられ、
前記基板固定用板金には、前記基板の角に引っ掛けて前記基板を更に固定するためのノコギリ歯状突起部が設けられている
指紋読取装置。
【請求項１０】
請求項５〜９のいずれかに記載の指紋読取装置において、
更に、
前記指紋センサ部により読み取られた前記指紋を表す指紋データを生成し、出力する指紋データ生成部と、
前記第１電極と前記第２電極とに接続され、前記ユーザの指が前記第１電極と前記第２電極とに接触したときの前記ユーザの指の生体情報を取得し、出力する生体情報取得部とを具備する指紋読取装置。
【請求項１１】
請求項１０に記載された指紋読取装置と、
前記指紋読取装置からの前記指紋データと前記生体情報とを受け取る指紋認証装置と
を具備し、
前記指紋認証装置は、
前記ユーザの指紋を表す登録指紋データが登録された指紋認証記憶装置と、
前記指紋データと前記登録指紋データとが一致し、前記生体情報が、人の指を表す許容生体情報である所定範囲内である場合、前記ユーザに対する物理的又は仮想的な制限を解除する指紋データ認証部と
を具備する情報処理システム。
【請求項１２】
請求項１０に記載された指紋読取装置と、
前記指紋読取装置からの前記指紋データと前記生体情報とを受け取る指紋認証装置と、
情報処理装置と
を具備し、
前記情報処理装置は、
コンピュータプログラムが格納された記憶装置と、
前記コンピュータプログラムを実行するＣＰＵと
を具備し、
前記指紋認証装置は、
前記ユーザの指紋を表す登録指紋データが登録された指紋認証記憶装置と、
前記指紋データと前記登録指紋データとが一致し、前記生体情報が、人の指を表す許容生体情報である所定範囲内である場合、前記ユーザに対する物理的又は仮想的な制限を解除する通知を出力する指紋データ認証部と
を具備し、
前記ＣＰＵは、前記通知を受けて、前記ユーザに対する物理的又は仮想的な制限を解除する
コンピュータ。
【発明の詳細な説明】
【技術分野】
【０００１】
本発明は、指紋を読み取る指紋読取装置に関する。
【背景技術】
【０００２】
指紋認証が情報処理システムのために利用されている。情報処理システムは、例えば、ユーザに対する個人認証として利用される。個人認証としては、パスワードの代わりに利用される場合や、入室管理に利用される場合がある。
情報処理システムは、指紋読取装置と、指紋認証装置と、情報処理装置とを具備している。指紋読取装置は、センサを備えた指紋センサ部を具備している。センサにユーザの指が置かれたときに、指紋センサ部は、ユーザの指紋を読み取り、指紋読取装置は、その指紋を表す指紋データを生成して出力する。指紋認証装置は、ユーザの指紋を表す登録指紋データが登録された記憶装置を備え、指紋読取装置からの指紋データと登録指紋データとが一致した場合、その旨を情報処理装置に通知する。情報処理装置は、制御部を備え、制御部は、指紋データと登録指紋データとが一致したときに、例えばユーザに情報処理装置の使用を許可する。
【０００３】
このような指紋読取装置において、電気機器として更に利用しやすいものが望まれる。
【０００４】
指紋に関連する技術として、特開２００５−２０４２８４号公報に情報処理装置が開示されている（特許文献１参照）。この情報処理装置は、操作部を有する筐体を備えている。前記筐体が、前記操作部に隣接した位置に、該操作部から離れる方向に下り方向に傾斜した第１の斜面と、該第１の斜面よりも該操作部からさらに離れる方向に上り方向に傾斜した第２の斜面とを有する溝を有している。前記溝内に、該溝内を前記第１の斜面および前記第２の斜面に沿って動かした指の指紋を検出する指紋センサを配備している。前記第１の斜面と前記第２の斜面が、相互に異なる傾斜角を有する斜面であることを特徴としている。これにより、小型化と操作性との双方を高い次元で両立させる。
【０００５】
特開平１０−６４６０６号公報に電気機器の接地構造が開示されている（特許文献２参照）。この電気機器の接地構造は、アースを必要とする電気機器が取り付けられた基台と、アースパターンを有する基板と、板材を用いた導電部材と、上記基板と導電部材とを基台に固定する締結手段とを備えている。電気機器の接地構造では、上記導電部材の一部を上記電気機器のアースをする部分に電気的に接触させると共に、他の一部を締結手段で締結の際に上記基板を弾性的に押圧して締結する構造とし、且つ、締結時に上記導電部材が基板のアースパターンに接触するようにしたことを特徴としている。
また、導電部材の基板のアースパターンに接触する部分に突起部を設け、締結時にこの突起部が上記基板のアースパターンを押圧するようにしたことを特徴としている。
これにより、温度変化による中継基板の板厚が収縮しても、中継基板をゆるみなく固定すると共に、中継基板のアースパターンと電気機器のアース部分とを確実に導通させる。
【０００６】
その他の技術として、特開２００５−２７０５４６号公報に生体情報計測装置が開示されている（特許文献３参照）。この生体情報計測装置は、センサユニットから生体に光を照射し、前記センサユニットが前記生体からの後方散乱光を受光することにより生体情報を計測する。生体情報計測装置は、前記センサユニットが前記生体に接触しているか否かを検知するための２個の電極端子と、前記２個の電極端子のうち、第１の電極端子の検出電位を第２の電極端子の接地電位に対して増幅する反転型の増幅器と、によって構成された電極式接触検知手段を備えることを特徴としている。これにより、皮膚への接触状態を検知する電極端子を可能な限り小さくし、脈拍数などの生体情報を高精度に計測可能にする。
【０００７】
特開２００５−２７０５４３号公報に生体情報計測装置が開示されている（特許文献４参照）。この生体情報計測装置は、本体と、該本体の下面から突出して形成された突出部と、前記本体の下面を生体表面側に向けた状態で該本体を腕に装着する固定手段と、前記生体表面に接触した状態で生体に向けて光を照射する光発光部と、該光発光部により照射された光のうち前記生体からの反射光を受光すると共に受光量に応じた生体情報信号を生成する光受光部と、光発光部及び光受光部が生体表面に接触しているか否かを検出する接触検出手段とを有する生体センサ部と、前記本体に設けられ、前記生体情報信号に基づいて生体情報を検出する生体情報検出部とを備え、前記生体センサ部は、前記突出部の下面に配されていることを特徴としている。これにより、密着性が向上すると共に、不快を感じることなく長時間の装着を行う。
【０００８】
特開２００５−２１１１９４号公報に生体情報測定装置が開示されている（特許文献５参照）。この生体情報測定装置は、被測定者の足に接触する足部電極と、前記足部電極を備え測定時に被測定者が載る人体載置部と、被測定者の手に接触する手部電極と、前記手部電極を備え測定時に被測定者が手で把持する把持部と、前記足部電極と前記手部電極との間のインピーダンスを測定するインピーダンス測定手段と、被測定者の身体的特徴をあらわす被測定者情報を入力する入力手段と、前記足部電極と前記手部電極との間のインピーダンスと被測定者情報から被測定者の生体に関する情報を計算する計算手段と、前記計算手段による計算結果を表示する報知手段とを有している。前記把持部と前記人体載置部とを電気的に接続するためのケーブルで接続し、前記把持部は上下動し、前記人体載置部から高い位置に固定することができる上下動手段を設けている。これにより、被測定者が手で握らなければならない把持部（手部電極）を清潔に保持し、さらには体を屈めずに測定することで使用者の身体的負担を軽減する。
【０００９】
【特許文献１】特開２００５−２０４２８４号公報（請求項１）
【特許文献２】特開平１０−６４６０６号公報（請求項１、２）
【特許文献３】特開２００５−２７０５４６号公報（請求項１）
【特許文献４】特開２００５−２７０５４３号公報（請求項１）
【特許文献５】特開２００５−２１１１９４号公報（請求項１）
【発明の開示】
【発明が解決しようとする課題】
【００１０】
本発明の課題は、静電気対策を行うことができる指紋読取装置を提供することにある。
本発明の他の課題は、指の接触が改善される指紋読取装置を提供することにある。
本発明の更に他の課題は、セキュリティを確保することができる指紋読取装置を提供することにある。
本発明の更に他の課題は、薄型化を図ることができる指紋読取装置を提供することにある。
【課題を解決するための手段】
【００１１】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１２】
本発明の第１の観点による指紋データ取得装置（１）は、指紋を表す指紋データを取得される指に接触される第１の面（５２）と、前記第１の面（５２）より後に前記指に接触される第２の面（１１ａ）と、前記第１の面（５２）から前記第２の面（１１ａ；センサ）へ前記指が移動する経路上に前記指紋データを取得する指紋データ取得部（１１ｂ、１２）とを有している。
前記第１の面（５２）は、前記指が前記第２の面（１１ａ）に向けて移動するときに、前記指が上方に推移するように配置され、前記第２の面（１１ａ）は、前記指が水平に推移するように配置されていることを特徴とする。
本発明の指紋データ取得装置（１）によれば、上記の配置により、第１の面（５２）から第２の面（１１ａ；センサ）にユーザの指を誘導させ、センサへの接触を改善することができる。
【００１３】
本発明の第１の観点による指紋データ取得装置（１）は、前記第２の面（１１ａ）の後に前記指に接触される第３の面（５３）を更に有している。
前記第３の面（５３）は、前記指が第２の面（１１ａ）から移動するときに、前記指が下方に推移するように配置されていることを特徴とする。
【００１４】
本発明の第１の観点による指紋データ取得装置（１）において、前記第３の面（５３）が導電体で構成され、電気的に接地されていることを特徴とする。
本発明の指紋データ取得装置（１）によれば、上記の配置により、第１の面（５２）から第２の面（１１ａ；センサ）にユーザの指を誘導させ、センサへの接触を改善することができる。また、静電気は、インピーダンスが低いところに飛びやすい。例えば、筐体（４０）＞センサ（１１ａ）＞第１の面（５２）＞第３の面（５３）のこの順でインピーダンスを低くすることにより、ユーザの指が第１の面（５２）と第３の面（５３）とに触れたときに、ユーザの指に帯電した静電気を第１の面（５２）と第３の面（５３）とにより除去することができる。これにより、ユーザの指に帯電した静電気がセンサ（１１ａ）に直接伝わることによる指紋読取装置（１）自体の誤動作や故障等、指紋読取装置（１）に接続された情報処理装置（３）の誤動作や故障等を防止することができる。
このように、本発明の指紋データ取得装置（１）によれば、静電気対策を行うことができる。
【００１５】
本発明の第１の観点による指紋データ取得装置（１）において、前記第１の面（５２）が導電体で構成され、電気的に接地されていることを特徴とする。
【００１６】
本発明の第２の観点による指紋データ取得装置（１）は、指紋データを取得される指に接触される第１の面（５２）と、前記第１の面（５２）より後に前記指に接触される第２の面（１１ａ）と、前記第１の面（５２）から前記第２の面（１１ａ）へ前記指が移動する経路上に前記指紋データを取得する指紋データ取得部（１１ｂ、１２）とを有している。
前記第１の面（５２）は、前記指が前記第２の面（１１ａ）に向けて移動するときに、前記指を前記指紋データ取得装置（１）の設置面（４３ｃ）から遠のく方向にガイドするための第１の傾斜（β）を有し、前記第２の面（１１ａ）は、前記設置面（４３ｃ）に対し、水平である、または、前記第１の傾斜（β）よりも緩やかな第２の傾斜を有することを特徴とする。
本発明の指紋データ取得装置（１）によれば、上記の配置により、第１の面（５２）から第２の面（１１ａ；センサ）にユーザの指を誘導させ、センサへの接触を改善することができる。
【００１７】
本発明の第３の観点による指紋データ取得装置（１）は、指紋データを取得される指に接触される第１の電極（５１）と、前記第１の電極（５１）より後に前記指に接触される第２の電極（５２）と、前記第２の電極（５２）より後に前記指に接触される第３の電極（５３）と、前記第２の電極（５２）から前記第３の電極（５３）へ前記指が移動する経路上に配置される、前記指紋データを取得する指紋データ取得部（１１、１２、１３）とを有している。
前記指紋データ取得部（１１、１２、１３）は、前記第２の電極（５２）と前記第３の電極（５３）の両方または前記第１の電極（５１）と前記第２の電極（５２）の両方に前記指が接触したときに、前記指の生体情報を取得することを特徴とする。
これにより、本発明の指紋データ取得装置（１）によれば、上記の配置により、ユーザの指が第２の電極（５２）と第３の電極（５３）の両方または第１の電極（５１）と第２の電極（５２）の両方に同時に触れたときに、ユーザの指に帯電した静電気を第２の電極（５２）と第３の電極（５３）、または第１の電極（５１）と第２の電極（５２）により除去することができる。
例えばユーザの指が第１の電極（５１）と第２の電極（５２）に充分に触れていない場合、ユーザの指に帯電した静電気が残っている可能性がある。この場合でも、本発明の指紋データ取得装置（１）によれば、ユーザの指が第２の電極（５２）と第３の電極（５３）とに触れ、ユーザの指に帯電した静電気を第２の電極（５２）と第３の電極（５３）とにより除去することができる。
このように、本発明の指紋データ取得装置（１）によれば、静電気対策を行うことができる。
また、指の生体情報としては、ユーザの指が第２の電極（５２）と第３の電極（５３）の両方または第１の電極（５１）と第２の電極（５２）の両方に同時に触れたときの抵抗値が例示される。例えば、その抵抗値が所定範囲（２４）以外である場合は、悪用者によりユーザの指紋が形成された義指（偽指）であると判断することが可能である。
このように、本発明の指紋データ取得装置（１）によれば、指の生体情報を取得することにより、セキュリティを確保することができる。
【００１８】
本発明の第３の観点による指紋データ取得装置（１）において、前記第２の電極（５２）が、前記指が前記第３の電極（５３）に向けて移動するときに、前記指が上方に推移するように配置されていることを特徴とする。
本発明の指紋データ取得装置（１）によれば、上記の配置により、第２の電極（５２）から第３の電極（５３）にユーザの指を誘導させることにより、指紋データ取得部｛１１；センサ（１１ａ）｝への接触を改善することができる。
【００１９】
本発明の第３の観点による指紋データ取得装置（１）において、前記第３の電極（５３）が、前記指が前記第２の電極（５２）から移動するときに、前記指が下方に推移するように配置されていることを特徴とする。
【００２０】
本発明の第３の観点による指紋データ取得装置（１）において、前記第１の電極（５１）が、前記指が前記第２の電極（５２）に向けて移動するときに、前記指が下方に推移するように配置されていることを特徴とする。
【００２１】
本発明の第３の観点による指紋データ取得装置（１）において、前記第１の電極（５１）と前記第２の電極（５２）との間に絶縁体（４７ｃ）が配置されていることを特徴とする。
【００２２】
本発明の第３の観点による指紋データ取得装置（１）において、前記絶縁体（４７ｃ）が、前記指紋データ取得部｛１１；センサ（１１ａ）｝を前記経路に固定する保持部材（４７ａ、４７ｂ）と一体に形成されていることを特徴とする。
本発明の指紋データ取得装置（１）によれば、上記の配置により、薄型化を図ることができる。
【００２３】
本発明の指紋読取装置（１）は、筐体（４０）と、前記筐体（４０）に設けられた第１電極（５２）及び第２電極（５３）と、指紋センサ部（１１）とを具備している。
前記指紋センサ部（１１）は、センサ（１１ａ）を備え、前記センサ（１１ａ）にユーザの指が置かれたときに、前記ユーザの指紋を読み取る。
前記ユーザの指が前記第１電極（５２）と前記第２電極（５３）とに接触するように、前記センサ（１１ａ）は、前記筐体（４０）の前記第１電極（５２）と前記第２電極（５３）との間に設けられている。
静電気は、インピーダンスが低いところに飛びやすい。本発明の指紋読取装置（１）によれば、例えば、筐体（４０）＞センサ（１１ａ）＞第１電極（５２）＞第２電極（５３）のこの順でインピーダンスを低くすることにより、ユーザの指がセンサ（１１ａ）に置かれたときに、ユーザの指が第１電極（５２）と第２電極（５３）とに触れ、ユーザの指に帯電した静電気を第１電極（５２）と第２電極（５３）とにより除去することができる。これにより、ユーザの指に帯電した静電気がセンサ（１１ａ）に直接伝わることによる指紋読取装置（１）自体の誤動作や故障等、指紋読取装置（１）に接続された情報処理装置（３）の誤動作や故障等を防止することができる。
このように、本発明の指紋読取装置（１）によれば、静電気対策を行うことができる。
【００２４】
本発明の指紋読取装置（１）において、前記センサ（１１ａ）は、前記ユーザの指をスライドさせながら前記指紋を読み取るラインセンサである。
前記指紋読取装置（１）は、更に、前記筐体（４０）に設けられた第３電極（５１）と、絶縁体である指誘導部（４７ｃ）とを具備している。前記指誘導部（４７ｃ）は、前記ユーザの指をその位置から前記センサ（１１ａ）に誘導するために用いられる。
前記ユーザの指が前記第３電極（５１）と前記第１電極（５２）とに接触するように、前記指誘導部（４７ｃ）は、前記筐体（４０）の前記第３電極（５１）と前記第１電極（５２）との間に設けられている。
これにより、本発明の指紋読取装置（１）によれば、指誘導部（４７ｃ）にユーザの指を誘導させることができる。また、上述のように、静電気は、インピーダンスが低いところに飛びやすい。例えば、筐体（４０）＞センサ（１１ａ）＞第１電極（５２）＞第２電極（５３）、第３電極（５１）のこの順でインピーダンスを低くすることにより、ユーザの指が第３電極（５１）と第１電極（５２）とに触れたときに、ユーザの指に帯電した静電気を第３電極（５１）と第１電極（５２）とにより除去することができる。これにより、ユーザの指に帯電した静電気がセンサ（１１ａ）に直接伝わることによる指紋読取装置（１）自体の誤動作や故障等、指紋読取装置（１）に接続された情報処理装置（３）の誤動作や故障等を防止することができる。
例えばユーザの指が第３電極（５１）と第１電極（５２）に充分に触れていない場合、ユーザの指に帯電した静電気が残っている可能性がある。この場合でも、本発明の指紋読取装置（１）によれば、ユーザの指が指誘導部（４７ｃ）からセンサ（１１ａ）にスライドしたときに、ユーザの指が第１電極（５２）と第２電極（５３）とに触れることにより、ユーザの指に帯電した静電気を第１電極（５２）と第２電極（５３）とにより除去することができる。
このように、本発明の指紋読取装置（１）によれば、静電気対策を行うことができる。
【００２５】
本発明の指紋読取装置（１）において、前記第３電極（５１；５１ｂ）と前記第１電極（５２）と前記第２電極（５３）は板状である。
前記ユーザの指を前記指誘導部（４７ｃ）から前記センサ（１１ａ）に誘導するために、前記第３電極（５１；５１ｂ）と前記第１電極（５２）と前記第２電極（５３）は傾斜している。
【００２６】
本発明の指紋読取装置（１）において、前記第３電極（５１；５１ｂ）は、その一端部からその他端部まで第１角度（α）で下降するように前記筐体（４０）に設けられている。
前記第１電極（５２）は、その一端部からその他端部まで第２角度（β）で上昇するように前記筐体（４０）に設けられている。
前記第２電極（５３）は、その一端部からその他端部まで第３角度（γ）で下降するように前記筐体（４０）に設けられている。
前記指誘導部（４７ｃ）は、前記第３電極（５１；５１ｂ）の他端部と前記第１電極（５２）の一端部との間に設けられている。
前記センサ（１１ａ）は、前記第１電極（５２）の他端部と前記第２電極（５３）の一端部との間に設けられている。
【００２７】
本発明の指紋読取装置（１）は、更に、前記筐体（４０）に設けられた絶縁体であるホルダー部（４７）を具備している。
前記ホルダー部（４７）は、前記センサ（１１ａ）が設けられたセンサ取り付け部分（４７ａ）と、前記第１電極（５２）が設けられた板金取り付け部分（４７ｂ）と、前記指誘導部（４７ｃ）である指誘導部分（４７ｃ）とを含んでいる。
【００２８】
本発明の指紋読取装置（１）において、前記ホルダー部（４７）は、光透過性素材により構成されている。
前記指紋読取装置（１）は、更に、前記筐体（４０）内に設けられた発光素子（７２）を具備している。
前記発光素子（７２）は、前記筐体（４０）に露出された前記指誘導部分（４７ｃ）が発光するように、前記ホルダー部（４７）に光を照射する。
これにより、本発明の指紋読取装置（１）によれば、ホルダー部（４７）に光が照射されたとき、ユーザは、発光素子（７２）が発光したときの色を、指誘導部分（４７ｃ）を介して見ることができる。このため、ユーザの指をセンサ（１１ａ）にスライドさせるために、ユーザの指を指誘導部分（４７ｃ）に誘導することができる。
【００２９】
本発明の指紋読取装置（１）において、前記第１電極（５２）と前記第２電極（５３）との一方は接地されている。
【００３０】
本発明の指紋読取装置（１）において、前記第１電極（５２）と、前記第３電極（５１）及び前記第２電極（５３）との一方は接地されている。
【００３１】
本発明の指紋読取装置（１）は、更に、前記筐体（４０）内に設けられる基板（７０）と、基板固定用板金（５４）とを具備している。前記基板固定用板金（５４）は、前記筐体（４０）内に設けられ、前記基板（７０）よりも面積が小さい。
前記基板（７０）には、前記指紋センサ部（１１）の前記センサ（１１ａ）以外の指紋センサ部本体（１１ｂ）と、前記発光素子（７２）との少なくとも１つが設けられている。
前記筐体（４０）は、第１筐体（４１）と第２筐体（４２）を含み、前記第１筐体（４１）と前記第２筐体（４２）とを重ね合わせたときにパッケージを形成する。
前記基板（７０）の角近傍の領域は接地領域を表している。
前記基板（７０）の角近傍の領域の一部と前記基板固定用板金（５４）の中央部分には、ネジ（６２）を通すための貫通した穴（７０ａ）｛前記基板固定用板金（５４）の穴は不図示｝が設けられている。
前記第１筐体（４１）及び前記第２筐体（４２）の角近傍には、前記ネジ（６２）により前記第１筐体（４１）と前記第２筐体（４２）とを結合し且つ前記筐体（４０）内で前記基板（７０）と前記基板固定用板金（５４）とを接触させて前記筐体（４０）に固定するための穴（４１ｂ）（４２ｂ）が設けられている。
前記基板固定用板金（５４）には、前記基板（７０）の角に引っ掛けて前記基板（７０）を更に固定するためのノコギリ歯状突起部（５４ａ）が設けられている。
基板（７０）が充分に接地されていない場合、ユーザの指と指紋読取装置（１）との間で静電気が発生することがある。本発明の指紋読取装置（１）によれば、基板（７０）をその角近傍の領域により接地する場合、ノコギリ歯状突起部（５４ａ）とネジ（６２）により確実に接地することができ、静電気対策を施すことができる。
本発明の指紋読取装置（１）によれば、基板固定用板金（５４）により薄型化を実現しつつ、バネ性を確保してネジ（６２）の緩みを防止することができる。通常、筐体（４０）内でネジ（６２）により基板（７０）を固定する場合、スプリングワッシャーとワッシャーとが用いられる。一般的にＪＩＳ規格では、スプリングワッシャー、ワッシャーは、それぞれ厚みが０．５ｍｍ、０．３ｍｍであり、その合計は０．８ｍｍになる。基板固定用板金（５４）では、厚みが０．１ｍｍの板金を用いた場合、０．７ｍｍも筐体（４０）を薄くすることができる。
このように、本発明の指紋読取装置（１）によれば、静電気対策を行うことができる。
【００３２】
本発明の指紋読取装置（１）は、更に、指紋データ生成部（１２）と、生体情報取得部（１３）とを具備している。
前記指紋データ生成部（１２）は、前記指紋センサ部（１１）により読み取られた前記指紋を表す指紋データを生成し、出力する。
前記生体情報取得部（１３）は、前記第１電極（５２）と前記第２電極（５３）とに接続され、前記ユーザの指が前記第１電極（５２）と前記第２電極（５３）とに接触したときの前記ユーザの指の生体情報を取得し、出力する。
本発明の情報処理システムでは、指の生体情報としては、ユーザの指が第２の電極（５２）と第３の電極（５３）の両方または第１の電極（５１）と第２の電極（５２）の両方に同時に触れたときの抵抗値が例示される。例えば、その抵抗値が所定範囲（２４）以外である場合は、悪用者によりユーザの指紋が形成された義指（偽指）であると判断することが可能である。
【００３３】
本発明の情報処理システムは、上記の指紋読取装置（１）と、前記指紋読取装置（１）からの前記指紋データと前記生体情報とを受け取る指紋認証装置（２）とを具備している。
前記指紋認証装置（２）は、前記ユーザの指紋を表す登録指紋データ（２２）が登録された指紋認証記憶装置（２１）と、指紋データ認証部（２５）とを具備している。
前記指紋データ認証部（２５）は、前記指紋データと前記登録指紋データ（２２）とが一致し、前記生体情報が、人の指を表す許容生体情報である所定範囲（２４）内である場合、前記ユーザに対する物理的又は仮想的な制限を解除する。
本発明の情報処理システムでは、ユーザに対する物理的な制限として、ユーザに対するコンピュータ｛情報処理装置（３）｝の使用の許可／不許可や、ユーザに対する部屋への入室の許可／不許可が例示され、その解除は許可である。ユーザに対する仮想的な制限として、ユーザに対するＯＳ（Ｏｐｅｒａｔｉｎｇ  Ｓｙｓｔｅｍ）の使用／不許可や、ＡＰ（Ａｃｃｅｓｓ  Ｐｏｉｎｔ）へのログインの許可／不許可が例示される。
ユーザに対する物理的な制限が、ユーザに対するコンピュータ｛情報処理装置（３）｝の使用の許可／不許可であり、その解除は許可である。この場合、本発明の情報処理システムでは、指紋読取装置（１）からの指紋データと登録指紋データ（２２）とが一致したら、ユーザに情報処理装置（３）の使用を許可するのではなく、指紋読取装置（１）からの指紋データと登録指紋データ（２２）とが一致し、且つ、指紋読取装置（１）からの生体情報が所定範囲（２４）内であるとき、ユーザに情報処理装置（３）の使用を許可する。これにより、悪用者は、ユーザの指紋が形成された義指（偽指）により情報処理装置（３）を悪用しようとした場合、指紋読取装置（１）からの生体情報が所定範囲（２４）以外であるため、情報処理装置（３）を使用することはできない。このため、情報処理装置（３）におけるセキュリティを確保することができる。
また、ユーザに対する物理的な制限が、ユーザに対する部屋への入室の許可／不許可であり、その解除は許可である。この場合、本発明の情報処理システムでは、指紋読取装置（１）からの指紋データと登録指紋データ（２２）とが一致したら、ユーザに部屋への入室を許可するのではなく、指紋読取装置（１）からの指紋データと登録指紋データ（２２）とが一致し、且つ、指紋読取装置（１）からの生体情報が所定範囲（２４）内であるとき、ユーザに部屋への入室を許可する。これにより、悪用者は、ユーザの指紋が形成された義指（偽指）により部屋を悪用しようとした場合、指紋読取装置（１）からの生体情報が所定範囲（２４）以外であるため、部屋を使用することはできない。このため、部屋のセキュリティを確保することができる。
【００３４】
本発明の情報処理システムにおいて、前記指紋認証装置（２）は、前記情報処理装置（３）に設けられている。
【００３５】
本発明の情報処理システムにおいて、前記指紋認証装置（２）は、前記指紋読取装置（１）に設けられている。
【００３６】
本発明のコンピュータは、上記の指紋読取装置（１）と、前記指紋読取装置（１）からの前記指紋データと前記生体情報とを受け取る指紋認証装置（２）と、情報処理装置（３）とを具備している。
前記情報処理装置（３）は、コンピュータプログラム（３４；３５）が格納された記憶装置（３３）と、前記コンピュータプログラム（３４；３５）を実行するＣＰＵ（３２）とを具備している。
前記指紋認証装置（２）は、前記ユーザの指紋を表す登録指紋データ（２２）が登録された指紋認証記憶装置（２１）と、指紋データ認証部（２５）とを具備している。
前記指紋データ認証部（２５）は、前記指紋データと前記登録指紋データ（２２）とが一致し、前記生体情報が、人の指を表す許容生体情報である所定範囲（２４）内である場合、前記ユーザに対する物理的又は仮想的な制限を解除する通知を出力する。
前記ＣＰＵ（３２）は、前記通知を受けて、前記ユーザに対する物理的又は仮想的な制限を解除する。
本発明のコンピュータでは、ユーザに対する物理的な制限として、ユーザに対する情報処理装置（３）の使用の許可／不許可や、ユーザに対する部屋への入室の許可／不許可が例示され、その解除は許可である。ユーザに対する仮想的な制限として、ユーザに対するＯＳ（Ｏｐｅｒａｔｉｎｇ  Ｓｙｓｔｅｍ）の使用／不許可や、ＡＰ（Ａｃｃｅｓｓ  Ｐｏｉｎｔ）へのログインの許可／不許可が例示される。
ユーザに対する物理的な制限が、ユーザに対する情報処理装置（３）の使用の許可／不許可であり、その解除は許可である。この場合、本発明のコンピュータでは、指紋読取装置（１）からの指紋データと登録指紋データ（２２）とが一致したら、ユーザに情報処理装置（３）の使用を許可するのではなく、指紋読取装置（１）からの指紋データと登録指紋データ（２２）とが一致し、且つ、指紋読取装置（１）からの生体情報が所定範囲（２４）内であるとき、ユーザに情報処理装置（３）の使用を許可する。これにより、悪用者は、ユーザの指紋が形成された義指（偽指）により情報処理装置（３）を悪用しようとした場合、指紋読取装置（１）からの生体情報が所定範囲（２４）以外であるため、情報処理装置（３）を使用することはできない。このため、情報処理装置（３）におけるセキュリティを確保することができる。
また、ユーザに対する物理的な制限が、ユーザに対する部屋への入室の許可／不許可であり、その解除は許可である。この場合、本発明のコンピュータでは、指紋読取装置（１）からの指紋データと登録指紋データ（２２）とが一致したら、ユーザに部屋への入室を許可するのではなく、指紋読取装置（１）からの指紋データと登録指紋データ（２２）とが一致し、且つ、指紋読取装置（１）からの生体情報が所定範囲（２４）内であるとき、ユーザに部屋への入室を許可する。これにより、悪用者は、ユーザの指紋が形成された義指（偽指）により部屋を悪用しようとした場合、指紋読取装置（１）からの生体情報が所定範囲（２４）以外であるため、部屋を使用することはできない。このため、部屋のセキュリティを確保することができる。
【００３７】
本発明のコンピュータにおいて、前記指紋認証装置（２）は、前記情報処理装置（３）に設けられている。
【００３８】
本発明のコンピュータにおいて、前記指紋認証装置（２）は、前記指紋読取装置（１）に設けられている。
【００３９】
本発明の基板固定用板金（５４）は、筐体（４０）に設けられ、基板（７０）よりも小さい板金本体（５４）を具備している。
前記基板（７０）の角近傍の領域は接地領域を表している。
前記基板（７０）の角近傍の領域の一部と前記板金本部（５４）の中央部分には、ネジ（６２）を通すための貫通した穴（７０ａ）｛前記板金本体（５４）の穴は不図示｝が設けられ、
前記筐体（４０）の角近傍には、前記ネジ（６２）により前記基板（７０）と前記板金本部（５４）とを接触させて前記筐体（４０）に固定するための穴（４１ｂ）（４２ｂ）が設けられ、
本発明の基板固定用板金（５４）は、更に、前記板金本部（５４）に設けられ、前記基板（７０）の角に引っ掛けて前記基板（７０）を更に固定するためのノコギリ歯状突起部（５４ａ）を具備している。
基板（７０）が充分に接地されていない場合、ユーザの指と電気機器（１）との間で静電気が発生することがある。本発明の基板固定用板金（５４）によれば、基板（７０）をその角近傍の領域により接地する場合、ノコギリ歯状突起部（５４ａ）により確実に接地することができ、静電気対策を施すことができる。
本発明の基板固定用板金（５４）によれば、薄型化を実現しつつ、バネ性を確保してネジ（６２）の緩みを防止することができる。通常、筐体（４０）内でネジ（６２）により基板（７０）を固定する場合、スプリングワッシャーとワッシャーとが用いられる。一般的にＪＩＳ規格では、スプリングワッシャー、ワッシャーは、それぞれ厚みが０．５ｍｍ、０．３ｍｍであり、その合計は０．８ｍｍになる。基板固定用板金（５４）では、厚みが０．１ｍｍの板金を用いた場合、０．７ｍｍも筐体（４０）を薄くすることができる。
このように、本発明の基板固定用板金（５４）によれば、静電気対策を行うことができる。
【００４０】
本発明の電気機器（１）は、筐体（４０）と、前記筐体（４０）内に設けられる基板（７０）と、基板固定用板金（５４）とを具備している。前記基板固定用板金（５４）は、前記筐体（４０）内に設けられ、前記基板（７０）よりも面積が小さい。
前記筐体（４０）は、第１筐体（４１）と第２筐体（４２）を含み、前記第１筐体（４１）と前記第２筐体（４２）とを重ね合わせたときにパッケージを形成する。
前記基板（７０）の角近傍の領域は接地領域を表している。
前記基板（７０）の角近傍の領域の一部と前記基板固定用板金（５４）の中央部分には、ネジ（６２）を通すための貫通した穴（７０ａ）｛前記基板固定用板金（５４）の穴は不図示｝が設けられている。
前記第１筐体（４１）及び前記第２筐体（４２）の角近傍には、前記ネジ（６２）により前記第１筐体（４１）と前記第２筐体（４２）とを結合し且つ前記筐体（４０）内で前記基板（７０）と前記基板固定用板金（５４）とを接触させて前記筐体（４０）に固定するための穴（４１ｂ）（４２ｂ）が設けられている。
前記基板固定用板金（５４）には、前記基板（７０）の角に引っ掛けて前記基板（７０）を更に固定するためのノコギリ歯状突起部（５４ａ）が設けられている。
基板（７０）が充分に接地されていない場合、ユーザの指と電気機器（１）との間で静電気が発生することがある。本発明の電気機器（１）によれば、基板（７０）をその角近傍の領域により接地する場合、ノコギリ歯状突起部（５４ａ）とネジ（６２）により確実に接地することができ、静電気対策を施すことができる。
本発明の電気機器（１）によれば、薄型化を実現しつつ、バネ性を確保してネジ（６２）の緩みを防止することができる。通常、筐体（４０）内でネジ（６２）により基板（７０）を固定する場合、スプリングワッシャーとワッシャーとが用いられる。一般的にＪＩＳ規格では、スプリングワッシャー、ワッシャーは、それぞれ厚みが０．５ｍｍ、０．３ｍｍであり、その合計は０．８ｍｍになる。基板固定用板金（５４）では、厚みが０．１ｍｍの板金を用いた場合、０．７ｍｍも筐体（４０）を薄くすることができる。
このように、本発明の電気機器（１）によれば、静電気対策を行うことができる。
【発明の効果】
【００４１】
本発明によれば、静電気対策を行うことができる。
本発明によれば、指の接触が改善される。
本発明によれば、セキュリティを確保することができる。
本発明によれば、薄型化を図ることができる。
【発明を実施するための最良の形態】
【００４２】
以下に添付図面を参照して、本発明の指紋読取装置（又は指紋データ取得装置とも称する）について詳細に説明する。
【００４３】
図１は、本発明の指紋読取装置１が適用される情報処理システムの構成を示している。情報処理システムは、例えば、ユーザに対する個人認証として利用される。個人認証としては、パスワードの代わりに利用される場合や、入室管理に利用される場合がある。
情報処理システムは、指紋読取装置１と、指紋認証装置２と、情報処理装置３とを具備している。指紋認証装置２は情報処理装置３に設けられ、指紋読取装置１は、例えばＵＳＢ（Ｕｎｉｖｅｒｓａｌ  Ｓｅｒｉａｌ  Ｂｕｓ）ケーブル４を介して情報処理装置３内の指紋認証装置２に接続されている。
【００４４】
図２は、情報処理装置３の構成を示している。情報処理装置３は、コンピュータであり、情報処理装置本体３１、表示装置３６、入力装置３７を具備している。
情報処理装置本体３１は、ＣＰＵ（Ｃｅｎｔｒａｌ  Ｐｒｏｃｅｓｓｉｎｇ  Ｕｎｉｔ）３２、記憶装置３３を具備している。記憶装置３３には、ＣＰＵ３２が実行するためのコンピュータプログラム３４である制御部（制御プログラム）３５が格納されている。
情報処理装置３が起動されたとき、制御部３５は、ユーザに対する物理的又は仮想的な制限を解除するためのパスワードを入力する旨を表す情報を表示装置３６に表示する。ユーザに対する物理的な制限として、ユーザに対するコンピュータ（情報処理装置３）の使用の許可／不許可や、ユーザに対する部屋への入室の許可／不許可が例示され、その解除は許可である。ユーザに対する仮想的な制限として、ユーザに対するＯＳ（Ｏｐｅｒａｔｉｎｇ  Ｓｙｓｔｅｍ）の使用／不許可や、ＡＰ（Ａｃｃｅｓｓ  Ｐｏｉｎｔ）へのログインの許可／不許可が例示される。
ユーザは、入力装置３７を用いてパスワードを入力することができる。この場合、記憶装置３３には登録パスワードが登録され、制御部３５は、入力されたパスワードと、登録パスワードとを認証する。入力されたパスワードと登録パスワードとが一致したとき、制御部３５は、ユーザに対する物理的又は仮想的な制限を解除する。
【００４５】
情報処理システムでは、パスワードの代わりに、指紋を用いることもできる。情報処理装置３が起動されたとき、制御部３５は、指紋読取装置１と指紋認証装置２とに電源を供給する。このとき、制御部３５は、ユーザに対する物理的又は仮想的な制限を解除するためのパスワードを入力する旨を表す情報を表示装置３６に表示する。
【００４６】
図３は、本発明の指紋読取装置１の構成を示している。指紋読取装置１は、指紋データ取得部を具備している。この指紋データ取得部は、指紋センサ部１１と、指紋データ生成部１２とを具備している。指紋データ生成部１２は、ハードウェア（例示；回路）又はソフトウェア（例示；コンピュータプログラム）により実現される。
指紋センサ部１１は、ユーザの指をスライドさせながら指紋を読み取るラインセンサであり、センサ１１ａと、指紋センサ部本体１１ｂとを備えている。指紋センサ部本体１１ｂは、指紋データ生成部１２に接続されている。センサ１１ａにユーザの指が置かれたときに、指紋センサ部本体１１ｂは、ユーザの指紋を読み取る。指紋データ生成部１２は、指紋センサ部本体１１ｂに読み取られた指紋を表す指紋データを生成し、指紋認証装置２に出力する。
【００４７】
指紋読取装置１は、更に、電極５２、電極５３を具備している。
センサ１１ａにユーザの指が置かれたときに、ユーザの指が電極５２と電極５３とに接触するように、センサ１１ａは、電極５２と電極５３との間に設けられている。
【００４８】
これにより、本発明の指紋読取装置１によれば、ユーザの指が電極５２と電極５３とに触れたときに、ユーザの指に帯電した静電気を電極５２と電極５３とにより除去することができる。これについては後述する。
【００４９】
指紋読取装置１の指紋データ取得部は、更に、指の生体情報を取得する生体情報取得部を具備している。生体情報取得部は、ハードウェア（例示；回路）又はソフトウェア（例示；コンピュータプログラム）により実現される。
指の生体情報としては、特許文献３〜５に記載された方法で取得することができる。本実施形態では、指の生体情報として、ユーザの指が電極５２と電極５３の両方に同時に触れたときの抵抗値が例示され、生体情報取得部は、その生体情報を取得する機能として、抵抗値測定部１３を含んでいる。抵抗値測定部１３は、電極５２と電極５３とに接続されている。センサ１１ａにユーザの指が置かれたときに、抵抗値測定部１３は、ユーザの指が電極５２と電極５３とに接触したときの抵抗値を測定し、その抵抗値を指紋認証装置２に出力する。例えば、その抵抗値が所定範囲（後述）以外である場合は、悪用者によりユーザの指紋が形成された義指（偽指）であると判断することが可能である。
【００５０】
図４は、指紋認証装置２の構成を示している。指紋認証装置２は、指紋データ認証部２５、指紋認証記憶装置２１を具備している。指紋データ認証部２５は、ハードウェア（例示；回路）又はソフトウェア（例示；コンピュータプログラム）により実現される。
指紋認証記憶装置２１には、ユーザの指紋を表す登録指紋データ２２が上記のパスワードとして登録されている。
【００５１】
指紋認証記憶装置２１には、更に、抵抗値データベース２３が登録されている。図５に示されるように、抵抗値データベース２３には、所定範囲２４が登録されている。所定範囲２４は、人の指を表す許容抵抗値であり、所定範囲２４以外は、人の指を表さない不許可抵抗値である。許容抵抗値の下限として第１規定抵抗値が予め決められ、許容抵抗値の上限として第２規定抵抗値とが予め決められているとき、所定範囲２４は、第１規定抵抗値より大きく第２規定抵抗値より小さい範囲である。指紋認証装置２は情報処理装置３に設けられている場合、指紋認証記憶装置２１は、記憶装置３３に含まれていてもよい。
【００５２】
指紋データ認証部２５は、指紋読取装置１から指紋データと抵抗値とを受け取る。このとき、指紋データ認証部２５は、指紋読取装置１からの指紋データと、登録指紋データ２２とを認証する。また、指紋データ認証部２５は、指紋読取装置１からの抵抗値が所定範囲２４内であるか否かを判定する。指紋読取装置１からの指紋データと登録指紋データ２２とが一致し、指紋読取装置１からの抵抗値が所定範囲２４内である場合、指紋データ認証部２５は、ユーザに対する物理的又は仮想的な制限を解除する旨を制御部３５に通知する。制御部３５は、この通知を受けて、ユーザに対する物理的又は仮想的な制限を解除する。
【００５３】
上述のように、ユーザに対する物理的な制限として、ユーザに対するコンピュータ（情報処理装置３）の使用の許可／不許可や、ユーザに対する部屋への入室の許可／不許可が例示され、その解除は許可である。ユーザに対する仮想的な制限として、ユーザに対するＯＳの使用／不許可や、ＡＰへのログインの許可／不許可が例示される。
ユーザに対する物理的な制限が、ユーザに対するコンピュータ（情報処理装置３）の使用の許可／不許可であり、その解除は許可である。この場合、本発明の指紋読取装置１では、指紋読取装置１からの指紋データと登録指紋データ２２とが一致したら、ユーザに情報処理装置３の使用を許可するのではなく、指紋読取装置１からの指紋データと登録指紋データ２２とが一致し、且つ、指紋読取装置１からの抵抗値が所定範囲２４内であるとき、ユーザに情報処理装置３の使用を許可する。これにより、悪用者は、ユーザの指紋が形成された義指（偽指）により情報処理装置３を悪用しようとした場合、指紋読取装置１からの抵抗値が所定範囲２４以外であるため、情報処理装置３を使用することはできない。このため、ユーザにおけるセキュリティ（この場合、情報処理装置３におけるセキュリティ）を確保することができる。
また、ユーザに対する物理的な制限が、ユーザに対する部屋への入室の許可／不許可であり、その解除は許可である。この場合、本発明の指紋読取装置１では、指紋読取装置１からの指紋データと登録指紋データ２２とが一致したら、ユーザに部屋への入室を許可するのではなく、指紋読取装置１からの指紋データと登録指紋データ２２とが一致し、且つ、指紋読取装置１からの抵抗値が所定範囲２４内であるとき、ユーザに部屋への入室を許可する。これにより、悪用者は、ユーザの指紋が形成された義指（偽指）により部屋を悪用しようとした場合、指紋読取装置１からの抵抗値が所定範囲２４以外であるため、部屋を使用することはできない。このため、ユーザにおけるセキュリティ（この場合、部屋のセキュリティ）を確保することができる。
【００５４】
図６（ａ）は、本発明の指紋読取装置１を表す正面図である。図６（ｂ）は、図６（ａ）をＡ方向から見た側面図である。図６（ｃ）は、図６（ｂ）をＢ方向から見た背面図である。図６（ｄ）は、図６（ａ）をＤ方向から見た側面図である。図６（ｅ）は、図６（ａ）をＥ方向から見た側面図である。
図７は、図６（ａ）のＦ−Ｆ’断面図である。
図８は、図６（ｃ）のＧ−Ｇ’断面図である。
【００５５】
図６（ａ）〜（ｅ）に示されるように、指紋読取装置１は、更に、筐体４０を具備している。
筐体４０は、四角形状の絶縁体であり、第１筐体４１、第２筐体４２を含み、第１筐体４１と第２筐体４２とを重ね合わせたときにパッケージ（電気機器）を形成する。
図６（ｃ）に示される第２筐体４２の面４３ｃは、指紋読取装置１が設置される設置面である。
【００５６】
図６（ｅ）に示されるように、指紋読取装置１は、更に、ネジ６１、６２を具備している。
第２筐体４２の第１辺４３ａの角近傍には、２つのネジ６２を通すための貫通した穴４２ｂ（図８参照）がそれぞれ設けられている。第２筐体４２の上記第１辺４３ａに交わらない第２辺４３ｂの近傍には、２つのネジ６１を通すための貫通した穴がそれぞれ設けられている。
第１筐体４１の第１辺４３ａの角近傍には、第１筐体４１と第２筐体４２とを重ね合わせたときにネジ６２により第１筐体４１と第２筐体４２とを結合するための貫通しない穴４１ｂ（図８参照）がそれぞれ設けられている。第１筐体４１の第２辺４３ｂの近傍には、第１筐体４１と第２筐体４２とを重ね合わせたときにネジ６１により第１筐体４１と第２筐体４２とを結合するための貫通しない穴がそれぞれ設けられている。
【００５７】
図７に示されるように、指紋読取装置１は、更に、四角形状の基板７０を具備している。
基板７０は、筐体４０内に設けられる。その筐体４０である第１筐体４１、第２筐体４２には、それぞれ、基板７０を押さえつけて固定するための突起部４１ａ（第１突起部４１ａ）、図示しない突起部（第２突起部）が設けられている。例えば、第１突起部４１ａ、第２突起部は接地され、基板７０の第１突起部４１ａ、第２突起部に接触する部分も接地されている。
上記の指紋センサ部１１の指紋センサ部本体１１ｂと、上記の指紋データ生成部１２、抵抗値測定部１３（図示しない）は、基板７０に設けられている。
【００５８】
図８に示されるように、指紋読取装置１は、更に、基板固定用板金５４を具備している。基板固定用板金５４は、基板７０よりも面積が小さい四角形状であり、筐体４０内に設けられる。
基板固定用板金５４の１つの辺には、ノコギリ歯状突起部５４ａが設けられている。あるいは、基板固定用板金５４の１つの辺とそれに交わる他の１つの辺には、ノコギリ歯状突起部５４ａが設けられている。ノコギリ歯状突起部５４ａが設けられた辺は、基板７０の角に基板７０の角に引っ掛けるために用いられる。
基板７０の角近傍の領域は接地領域を表している。基板７０の角近傍の領域の一部には、２つのネジ６２を通すための貫通した穴７０ａがそれぞれ設けられている。例えば、基板固定用板金５４は、ネジ６２の数にそれぞれ対応するように、２つ用意される。
２つの基板固定用板金５４の中央部分には、２つのネジ６２を通すための貫通した穴（図示しない）がそれぞれ設けられている。そのネジ６２が筐体４２の角近傍の穴４２ｂから筐体４１の角近傍の穴４１ａに設けられた場合、筐体４１と筐体４２とが結合され、且つ、筐体４０内で基板７０と基板固定用板金５４とが接触して筐体４０に固定される。この場合、基板固定用板金５４に設けられたノコギリ歯状突起部５４ａが基板７０の角に引っ掛かり、基板７０が更に固定される。
【００５９】
基板７０が充分に接地されていない場合、ユーザの指と電気機器（指紋読取装置１）との間で静電気が発生することがある。本発明の指紋読取装置１によれば、基板７０をその角近傍の領域により接地する場合、ノコギリ歯状突起部５４ａとネジ６２により確実に接地することができ、静電気対策を施すことができる。
本発明の指紋読取装置１によれば、基板固定用板金５４により薄型化を実現することができる。通常、筐体４０内でネジ６２により基板７０を固定する場合、スプリングワッシャーとワッシャーとが用いられる。一般的にＪＩＳ規格では、スプリングワッシャー、ワッシャーは、それぞれ厚みが０．５ｍｍ、０．３ｍｍであり、その合計は０．８ｍｍになる。基板固定用板金５４では、厚みが０．１ｍｍの板金を用いた場合、０．７ｍｍも筐体４０を薄くすることができる。
【００６０】
図７に示されるように、指紋読取装置１は、更に、ＵＳＢコネクタ７１と、発光素子７２とを具備している。
発光素子７２は、基板７０の表面に設けられている。
ＵＳＢコネクタ７１は、基板７０の端部に設けられ、発光素子７２、指紋データ生成部１２、抵抗値測定部１３に接続されている。図６（ｄ）、図７に示されるように、筐体４０には、ＵＳＢコネクタ７１とＵＳＢケーブル４とを接続するための貫通した穴が設けられている。
【００６１】
図７に示されるように、第１筐体４１には、第１筐体４１の第１辺４３ａから、第１筐体４１の上記第１辺４３ａに交わらない第２辺４３ｂに延びる、取り付け部４４が設けられている。
取り付け部４４は、電極取り付け部４５、４６、ホルダー部４７を含んでいる。
【００６２】
電極取り付け部４５は、電極取り付け部分４５ａ、４５ｂとを含んでいる。
電極取り付け部分４５ａは、その一端部が第１辺４３ａに設けられている。
電極取り付け部分４５ｂは、その一端部が電極取り付け部分４５ａの他端部に接続され、その一端部からその他端部まで所定の角度αで下降している。
【００６３】
ホルダー部４７は、一体に形成されたセンサ取り付け部分４７ａと電極取り付け部分４７ｂと指誘導部分４７ｃとを含んでいる。
指誘導部分４７ｃは、その一端部が電極取り付け部分４５ｂの他端部に接続されている。指誘導部分４７ｃは、基板７０に設けられた発光素子７２の上に設けられている。
電極取り付け部分４７ｂは、その一端部が指誘導部分４７ｃの他端部に接続され、その一端部からその他端部まで所定の角度βで上昇している。
センサ取り付け部分４７ａは、その一端部が電極取り付け部分４７ｂの他端部に接続されている。上記の指紋センサ部１１のセンサ１１ａは、センサ取り付け部分４７ａ上に設けられている。
【００６４】
ホルダー部４７は、光透過性素材を用いた絶縁体である。この光透過性素材としては、ポリカーボネート樹脂（ＰＣ）、アクリル、ポリエチルテレフタレート（ＰＥＴ）、ポリメチルメタクリレート（ＰＭＭＡ）、ＭＳ樹脂（メチルメタクリレート・スチレンモノマー共重合体）、ポリプロピレン（ＰＰ）、透明ＡＢＳ樹脂、透明ポリスチレン（ＰＳ）、透明エポキシ樹脂、ポリアレート（ＰＡＲ）、ポリサルフォン（ＰＳＦ）、ポリエーテルサルフォン（ＰＥＳ）、透明ナイロン樹脂、透明ポリブチレンテレフタレート（ＰＢＴ）、透明フッ素樹脂、ポリ−４−メチルペンテン−１（ＰＭＰ）、その他透明プラスチック｛透明フェノキシ樹脂、ポリイミド樹脂（ＰＩ）、オレフィン／マレイミド共重合体、透明フェノール樹脂、ノンブロム系難燃ＰＣ、ＡＲＴＯＮ／ＰＰＳアロイ｝などのプラスチックが例示される。例えば、加工に適し、適度な強度を有する光透過性素材として、ポリカーボネート樹脂が利用される。
情報処理装置３からＵＳＢケーブル４、ＵＳＢコネクタ７１を介して基板７０に電源が供給されたときに、発光素子７２が発光し、ホルダー部４７に光を照射する。
【００６５】
電極取り付け部４６は、その一端部がセンサ取り付け部分４７ａの他端部に接続され、その一端部からその他端部まで所定の角度γで下降している。例えば、電極取り付け部４６の一端部には、ネジ６１により第１筐体４１と第２筐体４２とを結合するための第１筐体４１の穴（貫通しない穴）が設けられ、センサ取り付け部分４７ａの他端部には、第２筐体４２、センサ取り付け部分４７ａの他端部、第１筐体４１の順でネジ６１を通すための貫通した穴が設けられている。
【００６６】
図６（ａ）〜（ｅ）、図７に示されるように、指紋読取装置１は、更に、電極５１、５２、５３を具備している。電極５２、５３は、それぞれ上記の電極５２、電極５３である。
電極５１、５２、５３は、板状の金属材料である。この金属材料としては、ステンレス（フェライト系、マルテンサイト系、オーステナイト系、オーステナイト・フェライト系）、アルミ、鉄、金、銅、ニッケルなどが例示される。例えば、錆びにくく、加工に適し、適度な強度を有する金属材料として、ステンレスが利用される。
電極５２と、電極５１、５３との一方は接地されている。例えば、指紋読取装置１は、更に、筐体４０に設けられたバリスタ（図示しない）を具備し、電極５２はバリスタを介して接地され、電極５１と電極５３は接地されている。静電気は、インピーダンスが低いところに飛びやすい。例えば、インピーダンスは、筐体４０＞センサ１１ａ＞電極５２＞電極５１、５３のこの順で低いことが好ましい。
【００６７】
電極５１は、ユーザの指に接触される面である。この電極５１は、一体に形成された電極部分５１ａと電極部分５１ｂとを含んでいる。
電極部分５１ａは、上記の電極取り付け部分４５ａ上に設けられている。電極部分５１ａは、その厚みが均一である。
電極部分５１ｂは、上記の電極取り付け部分４５ｂ上に設けられている。電極部分５１ｂは、その厚みが均一であり、電極取り付け部分４５ａ上でその一端部からその他端部まで所定の角度αで下降している。
【００６８】
電極５２は、電極５１の後にユーザの指に接触される面であり、上記のセンサ１１ａは、電極５２の後にユーザの指に接触される面である。この電極５２は、上記の電極取り付け部分４７ｂ上に設けられている。電極５２は、その厚みが均一であり、電極取り付け部分４７ｂ上でその一端部からその他端部まで所定の角度βで上昇している。これにより、ホルダー部４７は、指誘導部分４７ｃだけが筐体４０に露出される。これにより、本発明の指紋読取装置１によれば、ホルダー部４７に光が照射されたとき、ユーザは、発光素子７２が発光したときの色を、指誘導部分４７ｃを介して見ることができる。このため、ユーザの指をセンサ１１ａにスライドさせるために、ユーザの指を指誘導部分４７ｃに誘導することができる。
【００６９】
電極５３は、センサ１１ａの後にユーザの指に接触される面である。この電極５３は、上記の電極取り付け部４６上に設けられている。電極５３は、その厚みが均一であり、電極取り付け部４６上でその一端部からその他端部まで所定の角度γで下降している。
【００７０】
電極５２は、ユーザの指がセンサ１１ａに向けて移動するときに、指紋読取装置１が設置される設置面４３ｃに対して所定の角度βにより、ユーザの指が上方に推移するように配置され、センサ１１ａは、ユーザの指が水平に推移するように配置されている。即ち、電極５２は、ユーザの指がセンサ１１ａに向けて移動するときに、所定の角度βにより、ユーザの指を指紋読取装置１の設置面４３ｃから遠のく方向にガイドし、センサ１１ａは、上記設置面４３ｃに対して水平である。このため、本発明の指紋読取装置１によれば、電極５１、５２の配置により、電極５２からセンサ１１ａにユーザの指を誘導させ、センサ１１ａへの接触を改善することができる。
また、電極５３は、ユーザの指がセンサ１１ａから移動するときに、ユーザの指が下方に推移するように配置されている。このため、本発明の指紋読取装置１によれば、電極５２、５３の配置により、電極５２からセンサ１１ａを介して電極５３にユーザの指を誘導させ、センサ１１ａへの接触を改善することができる。
このように、上記の指紋データは、電極５２からセンサ１１ａを介して電極５３へ指が移動する経路上で、上記の指紋データ取得部（指紋センサ部本体１１ｂ、指紋データ生成部１２）により取得される。
【００７１】
電極５１の他端部と電極５２の一端部との距離は、人の指先である指の第１関節よりも短い。即ち、電極５１と電極５２との間には、絶縁体である指誘導部分４７ｃが配置され、その指誘導部分４７ｃの長さは、指の第１関節よりも短い。このため、本発明の指紋読取装置１によれば、指誘導部分４７ｃが発光することにより、ユーザの指を誘導させることができる。また、例えば、筐体４０＞センサ１１ａ＞電極５２＞電極５１のこの順でインピーダンスを低くすることにより、ユーザの指が電極５１と電極５２とに触れたときに、ユーザの指に帯電した静電気を電極５１と電極５２とにより除去することができる。これにより、ユーザの指に帯電した静電気がセンサ１１ａに直接伝わることによる指紋読取装置１自体の誤動作や故障等、指紋読取装置１に接続された情報処理装置３の誤動作や故障等を防止することができる。
また、指誘導部分４７ｃは、指紋データ取得部（センサ１１ａ）を経路に固定する保持部材（電極取り付け部分４７ｂと指誘導部分４７ｃ）と一体に形成されている。本発明の指紋読取装置１によれば、この配置により、薄型化を図ることができる。
【００７２】
電極５２の他端部と電極５３の一端部との距離は、人の指先である指の第１関節よりも短い。即ち、電極５２と電極５３との間には、ラインセンサであるセンサ１１ａが配置され、そのセンサ１１ａの長さは、指の第１関節よりも短い。例えばユーザの指が電極５１、電極５２に充分に触れていない場合、ユーザの指に帯電した静電気が残っている可能性がある。この場合でも、本発明の指紋読取装置１によれば、例えば、筐体４０＞センサ１１ａ＞電極５２＞電極５１、５３のこの順でインピーダンスを低くすることにより、ユーザの指が指誘導部分４７ｃからセンサ１１ａにスライドしたときに、ユーザの指が電極５２と電極５３とに触れ、ユーザの指に帯電した静電気を電極５２と電極５３とにより除去することができる。これにより、ユーザの指に帯電した静電気がセンサ１１ａに直接伝わることによる指紋読取装置１自体の誤動作や故障等、指紋読取装置１に接続された情報処理装置３の誤動作や故障等を防止することができる。
【００７３】
次に、情報処理システムの動作について、図９〜図１１を用いて説明する。
【００７４】
情報処理装置３が起動されたとき、制御部３５は、ユーザに対する物理的又は仮想的な制限を解除するためのパスワードを入力する旨を表す情報を表示装置３６に表示する。制御部３５は、指紋認証装置２に電源を供給し、その電源は、指紋認証装置２からＵＳＢケーブル４を介して指紋読取装置１に供給される。指紋読取装置１では、ＵＳＢケーブル４、ＵＳＢコネクタ７１を介して基板７０に電源が供給され、指紋の読み取りが可能になる。発光素子７２は、供給される電源により発光し、ホルダー部４７に光を照射する（図１１のステップＳ１）。
【００７５】
ユーザは、発光素子７２が発光したときの色を、指誘導部分４７ｃを介して確認する。図９に示されるように、ユーザは、指誘導部分４７ｃにユーザの指を置きにいく。このとき、ユーザの指が電極５１と電極５２とに触れ、ユーザの指に帯電した静電気が電極５１と電極５２とにより除去される。その後、図１０に示されるように、ユーザは、ユーザの指を指誘導部分４７ｃからセンサ１１ａにスライドする。このとき、ユーザの指が電極５２と電極５３とに触れ、ユーザの指に帯電した静電気が残っていても、ユーザの指に帯電した静電気が電極５２と電極５３とにより除去される。
【００７６】
指紋読取装置１では、センサ１１ａにユーザの指が置かれたときに、指紋センサ部本体１１ｂは、ユーザの指紋を読み取る。指紋データ生成部１２は、指紋センサ部本体１１ｂに読み取られた指紋を表す指紋データを生成し、指紋認証装置２に出力する（図１１のステップＳ２）。同時に、抵抗値測定部１３は、ユーザの指が電極５２と電極５３とに接触したときの抵抗値を測定し、その抵抗値を指紋認証装置２に出力する（図１１のステップＳ３）。
【００７７】
指紋認証装置２では、指紋データ認証部２５は、指紋読取装置１から指紋データと抵抗値とを受け取る。このとき、指紋データ認証部２５は、指紋読取装置１からの指紋データと、登録指紋データ２２とを認証する（図１１のステップＳ４）。また、指紋データ認証部２５は、指紋読取装置１からの抵抗値が所定範囲２４内であるか否かを判定する（図１１のステップＳ５）。指紋読取装置１からの指紋データと登録指紋データ２２とが一致し、指紋読取装置１からの抵抗値が所定範囲２４内である場合（図１１のステップＳ４−ＹＥＳ、Ｓ５−ＹＥＳ）、指紋データ認証部２５は、ユーザに対する物理的又は仮想的な制限を解除する旨を制御部３５に通知する。制御部３５は、この通知を受けて、ユーザに対する物理的又は仮想的な制限を解除する（図１１のステップＳ６）。
【００７８】
一方、指紋読取装置１からの指紋データと登録指紋データ２２とが一致しない場合、指紋読取装置１からの抵抗値が所定範囲２４以外である場合（図１１のステップＳ４−ＮＯ）（図１１のステップＳ４−ＹＥＳ、Ｓ５−ＮＯ）、指紋データ認証部２５は、ユーザに対する物理的又は仮想的な制限を解除しない旨を制御部３５に通知する。制御部３５は、この通知を受けて、ユーザに対する物理的又は仮想的な制限を継続する（図１１のステップＳ７）。制限を継続として、正しいパスワードが入力されるまで待機してもよいし、強制的に情報処理装置３の起動を終了してもよい。
【００７９】
以上の説明により、本発明の指紋読取装置１によれば、静電気対策が行われる。
【００８０】
第１に、静電気対策として、例えば、筐体４０＞センサ１１ａ＞電極５２＞電極５３のこの順でインピーダンスを低くすることにより、ユーザの指がセンサ１１ａに置かれたときに、ユーザの指が電極５２と電極５３とに触れ、ユーザの指に帯電した静電気を電極５２と電極５３とにより除去することができる。これにより、ユーザの指に帯電した静電気がセンサ１１ａに直接伝わることによる指紋読取装置１自体の誤動作や故障等、指紋読取装置１に接続された情報処理装置３の誤動作や故障等を防止することができる。
【００８１】
第２に、静電気対策として、例えば、筐体４０＞センサ１１ａ＞電極５２＞電極５１のこの順でインピーダンスを低くすることにより、指誘導部分４７ｃにユーザの指を誘導させ、ユーザの指が電極５１と電極５２とに触れたときに、ユーザの指に帯電した静電気を電極５１と電極５２とにより除去することができる。
また、ユーザの指が電極５１と電極５２に充分に触れていない場合、ユーザの指に帯電した静電気が残っている可能性がある。この場合でも、例えば、筐体４０＞センサ１１ａ＞電極５２＞電極５１、５３のこの順でインピーダンスを低くすることにより、ユーザの指が指誘導部分４７ｃからセンサ１１ａにスライドしたときに、ユーザの指が電極５２と電極５３とに触れ、ユーザの指に帯電した静電気を電極５２と電極５３とにより除去することができる。
【００８２】
本発明の指紋読取装置１によれば、ホルダー部４７に光が照射されたとき、ユーザは、発光素子７２が発光したときの色を、指誘導部分４７ｃを介して見ることができる。このため、ユーザの指をセンサ１１ａにスライドさせるために、ユーザの指を指誘導部分４７ｃに誘導することができる。
【００８３】
第３に、静電気対策として、基板７０が充分に接地されていない場合、ユーザの指と指紋読取装置１との間で静電気が発生することがある。そこで、本発明の指紋読取装置１によれば、基板７０をその角近傍の領域により接地する場合、ノコギリ歯状突起部５４ａとネジ６２により確実に接地することができる。
また、本発明の指紋読取装置１によれば、基板固定用板金５４により薄型化を実現することができる。
【００８４】
上記の情報処理システムによれば、指紋読取装置１からの指紋データと登録指紋データ２２とが一致したら、ユーザに対する物理的又は仮想的な制限を解除するのではなく、指紋読取装置１からの指紋データと登録指紋データ２２とが一致し、且つ、指紋読取装置１からの抵抗値が所定範囲２４内である場合、ユーザに対する物理的又は仮想的な制限を解除する。上述のように、ユーザに対する物理的な制限として、ユーザに対するコンピュータ（情報処理装置３）の使用の許可／不許可や、ユーザに対する部屋への入室の許可／不許可が例示され、その解除は許可である。ユーザに対する仮想的な制限として、ユーザに対するＯＳの使用／不許可や、ＡＰへのログインの許可／不許可が例示される。
例えば、ユーザに対する物理的な制限が、ユーザに対するコンピュータ（情報処理装置３）の使用の許可／不許可であり、その解除は許可である。この場合、悪用者は、ユーザの指紋が形成された義指（偽指）により情報処理装置３を悪用しようとしたときに、指紋読取装置１からの抵抗値が所定範囲２４以外であるため、情報処理装置３を使用することはできない。このため、ユーザにおけるセキュリティを確保することができる。
例えば、ユーザに対する物理的な制限が、ユーザに対する部屋への入室の許可／不許可であり、その解除は許可である。この場合、悪用者は、ユーザの指紋が形成された義指（偽指）により部屋を悪用しようとしたときに、指紋読取装置１からの抵抗値が所定範囲２４以外であるため、部屋を使用することはできない。このため、ユーザにおけるセキュリティ（この場合、部屋のセキュリティ）を確保することができる。
【００８５】
情報処理システムは、上記の説明に限定されない。
指紋認証装置２が情報処理装置３に設けられているが、図１２に示されるように、指紋認証装置２が指紋読取装置１に設けられてもよい。この場合、指紋認証装置２は、指紋読取装置１に直接接続され、例えば指紋読取装置１の基板７０に搭載される。また、指紋認証装置２は、例えばＵＳＢケーブル４を介して情報処理装置３に接続される。
上記の抵抗値測定部１３は、ユーザの指が電極５２と電極５３との両方に接触したときに、指の生体情報として抵抗値を測定（取得）しているが、ユーザの指が電極５１と電極５２との両方に接触したときに、上記生体情報を取得してもよい。この場合、抵抗値測定部１３は、ユーザの指が電極５１と電極５２とに接触したときの抵抗値を指紋認証装置２に出力する。
電極５２は、ユーザの指がセンサ１１ａに向けて移動するときに、指紋読取装置１が設置される設置面４３ｃに対して第１の傾斜（所定の角度β）により、ユーザの指が上方に推移するように配置され、センサ１１ａは、ユーザの指が水平に推移するように配置されている。これに対して、センサ１１ａは、第１の傾斜（所定の角度β）よりも緩やかな第２の傾斜を有していてもよい。
【図面の簡単な説明】
【００８６】
【図１】図１は、本発明の指紋読取装置１が適用される情報処理システムの構成を示している。
【図２】図２は、情報処理装置３の構成を示している。
【図３】図３は、本発明の指紋読取装置１の構成を示している。
【図４】図４は、指紋認証装置２の構成を示している。
【図５】図５は、情報処理システムの指紋認証装置２の抵抗値データベース２３を示している。
【図６】図６（ａ）は、本発明の指紋読取装置１を表す正面図であり、図６（ｂ）は、図６（ａ）をＡ方向から見た側面図であり、図６（ｃ）は、図６（ｂ）をＢ方向から見た背面図であり、図６（ｄ）は、図６（ａ）をＤ方向から見た側面図であり、図６（ｅ）は、図６（ａ）をＥ方向から見た側面図である。
【図７】図７は、図６（ａ）のＦ−Ｆ’断面図である。
【図８】図８は、図６（ｃ）のＧ−Ｇ’断面図である。
【図９】図９は、情報処理システムの動作を説明するための図である。
【図１０】図１０は、情報処理システムの動作を説明するための図である。
【図１１】図１１は、情報処理システムの動作を示すフローチャートである。
【図１２】図１２は、本発明の指紋読取装置１が適用される情報処理システムの他の構成を示している。
【符号の説明】
【００８７】
１    指紋読取装置
２    指紋認証装置
３    情報処理装置
４    ＵＳＢケーブル
１１    指紋センサ部
１１ａ    センサ
１１ｂ    指紋センサ部本体
１２    指紋データ生成部
１３    抵抗値測定部
２１    指紋認証記憶装置２１
２２    登録指紋データ
２３    抵抗値データベース
２４    所定範囲
２５    指紋データ認証部
３１    情報処理装置本体
３２    ＣＰＵ
３３    記憶装置
３４    コンピュータプログラム
３５    制御部
３６    表示装置
３７    入力装置
４０    筐体
４１    筐体（第１筐体）
４１ａ    突起部
４１ｂ    穴
４２    筐体（第２筐体）
４２ｂ    穴
４３ａ    第１辺
４３ｂ    第２辺
４３ｃ    面（設置面）
４４    取り付け部
４５    電極取り付け部
４５ａ    電極取り付け部分
４５ｂ    電極取り付け部分
４６    電極取り付け部
４７    ホルダー部
４７ａ    センサ取り付け部分
４７ｂ    電極取り付け部分
４７ｃ    指誘導部分
５１    電極
５１ａ    電極支持部分
５１ｂ    電極傾斜部分
５２、５３    電極
５４    基板固定用板金
５４ａ    ノコギリ歯状突起部
６１、６２    ネジ
７０    基板
７０ａ    穴
７１    ＵＳＢコネクタ部
７２    発光素子
【図１】
0004778316.tif 000002
【図２】
0004778316.tif 000003
【図３】
0004778316.tif 000004
【図４】
0004778316.tif 000005
【図５】
0004778316.tif 000006
【図６】
0004778316.tif 000007
【図７】
0004778316.tif 000008
【図８】
0004778316.tif 000009
【図９】
0004778316.tif 000010
【図１０】
0004778316.tif 000011
【図１１】
0004778316.tif 000012
【図１２】
0004778316.tif 000013